(57)【特許請求の範囲】
【請求項１】
軸の一端部に嵌め入れる第一のキャップと、該軸の他端部に嵌め入れ可能、かつ、上記第一のキャップの頂部に嵌めることが可能な第二のキャップとを含んでなる筆記具等用キャップであって、
第一のキャップは外周面に長手方向の全長に亙ってリブが突出形成され、
リブ同士の間に溝が形成され、
第二のキャップの外周面にクリップを、第二キャップの長手方向に沿いかつ該外周面との間に通気路が連続するように支持部により固定し、
第一のキャップと第二のキャップを相互に嵌めたときに、第一のキャップのリブ間の溝と第二のキャップのクリップとキャップ外周面との間の通気路が連続して通気可能になっていることを特徴とする筆記具等のキャップ。
【請求項２】
第一のキャップと第二のキャップは、ほぼ中央部に段差部が形成されていると共に、一方のキャップの閉塞部側であって段差部より先が縮径して他のキャップの開口部に嵌る外径に形成されており、第二のキャップの段差部よりも開口部側外周面にほぼクリップよりも幅狭の支持部によりクリップが固定され、キャップ同士を相互に嵌め合わせたときにリブ間の溝とキャップ外周面とクリップとの間の通気路がほぼ同一位置で連続するように形成したことを特徴とする請求項１に記載の筆記具等用のキャップ。
【請求項３】
クリップは、第二のキャップの開口部側端の近傍またはそれよりも長く延在して形成されたことを特徴とする請求項１または２に記載の筆記具等用のキャップ。
【発明の詳細な説明】
【０００１】
【発明の属する技術分野】
本発明は、修正具、塗布具、あるいは筆記具からなる筆記具等用キャップの構造の改良に関するものである。
【０００２】
【従来の技術】
筆記具には鉛筆、サインペン、羽ペン、筆、万年筆等の様々な種類があるが、この他にツインタイプのマーカ等があげられる。このマーカ等は、図示しないが、軸の一端部である筆記先端部に第一のキャップを、他端部である筆記末端部には第二のキャップをそれぞれ着脱自在に備え、これら第一、第二のキャップが相互に嵌合する構造に成形されているものがある。
【０００３】
なお、この種の先行技術文献として、実用新案登録２５９６０６６号、同２５９５８６９号、同２５４２０８０号、同２５５２１５４号、特開平９−２４６９３、同９−３９４７９号、同９−４８１９５号公報等があげられる。
【０００４】
【発明が解決しようとする課題】
従来の筆記具等用キャップは、以上のように構成され、諸性能を向上させるべく鋭意研究開発されているが、その研究項目の一つとして安全性がある。すなわち、ツインタイプの第一、第二のキャップが単独でも、あるいは組み合わせの状態で狭いところにはいったときにも通気性を発揮するようにし、空気の流通を確保するようにすれば、ある種の好ましくない事態を容易に回避することが可能である。
【０００５】
本発明は、上記問題に鑑みなされたもので、第一、第二のキャップに単独でも、あるいは組み合わせの状態でも通気性を確保し、安全性を高めることのできる筆記具等用キャップを提供することを目的としている。
【０００６】
【課題を解決するための手段】
本発明は、前記課題を解決するため次の構成を有する。
本発明は、軸の一端部に嵌め入れる第一のキャップと、該軸の他端部に嵌め入れ可能、かつ、上記第一のキャップの頂部に嵌めることが可能な第二のキャップとを含んでなる筆記具等用キャップであって、第一のキャップは外周面に長手方向の全長に亙ってリブが突出形成され、リブ同士の間に溝が形成され、第二のキャップの外周面にクリップを、第二キャップの長手方向に沿いかつ該外周面との間に通気路が連続するように支持部により固定し、第一のキャップと第二のキャップを相互に嵌めたときに、第一のキャップのリブ間の溝と第二のキャップのクリップとキャップ外周面との間の通気路が連続して通気可能になっていることを特徴とする筆記具等のキャップである。
これにより、第一、第二のキャップに単独でも、あるいは組み合わせの状態でも通気性を確保でき、安全性を高めることができる。
【０００７】
本発明において、第一のキャップと第二のキャップは、ほぼ中央部に段差部が形成されていると共に、一方のキャップの閉塞部側であって段差部より先が縮径して他のキャップの開口部に嵌る外径に形成されており、第二のキャップの段差部よりも開口部側外周面にほぼクリップよりも幅狭の例えばリブ状の支持部によりクリップが固定され、キャップ同士を相互に嵌め合わせたときにリブ間の溝とキャップ外周面とクリップとの間の通気路がほぼ同一位置で連続するように形成したものが好適である。これにより、リブ間の溝とクリップとキャップ外周面との間の通気路を確実に連通させることができる。
【０００８】
また、本発明において、クリップは、第二のキャップの開口部側端の近傍またはそれよりも長く延在して形成されたものが好適である。これにより、キャップとクリップ間の通気路を確保でき、確実な通気が可能である。
【０００９】
ここで、本発明における特許請求の範囲における筆記具等は、ツインタイプのサインペン、ボールペン、水性や油性のマーカ等の筆記具が主であるが、必ずしもこれに限定されるものではなく、例えばツインタイプのリップブラシやアイカラースティック等の化粧具、修正具、塗布具等でも良い。また、ほぼ中央部には、中央部と、中央部の近傍のいずれもが含まれる。この点については、閉塞端面付近や開口端面付近についても同様である。
【００１０】
【発明の実施の形態】
以下、図面を参照して本発明の実施形態を説明する。
【００１１】
図１（ａ）、（ｂ）は実施形態に係る先端と末端の両端部に筆記端部を備える筆記具と第一、第二のキャップの説明図、図２（ａ）、（ｂ）は第一のキャップの説明図、図３は第一のキャップと第二のキャップを嵌合した状態の説明図、図４は他の実施形態の説明図である。
【００１２】
本実施形態における筆記具等用キャップは、図１に示すように、軸（ｂａｒｒｅｌ）１０の一端部である筆記先端部に着脱自在に嵌入される第一のキャップ１と、軸の他端部である筆記末端部に着脱自在に嵌入され、第一のキャップ１の頂部に嵌め入れ可能で相互に嵌合する第二のキャップ２とを備えている。
【００１３】
前記第一、第二のキャップ１、２は、成形性、曲げ強さ、剛性、可滅菌性に優れたＰＰ、ＰＥ、ＡＢＳ、ＰＥＴ、それらの再生材等を用いて基本的には概略円筒形に成形され、軸のインクの蒸発を防止するよう機能する。
【００１４】
図１、図２に示すように、第一キャップ１は、外周面に長手方向の全長に亙って断面歯車状のリブ３が複数突出形成されて、リブ３、３…同士の間に溝４、４…が形成される。
また、第二のキャップ２の外周面２ａには、クリップ５が該第二キャップ２の長手方向に沿いかつ該外周面２ａとの間に通気路６が連続するようにリブ状のブリッジ部（支持部に相当）７により固定している。
【００１５】
図３に示すように、第一のキャップ１と第二のキャップ２を相互に嵌めたときに（各キャップの先後はいずれでもよい、また、３以上つなげても良い）、第一のキャップ１のリブ３、３…間の溝４、４…と第二のキャップ２のクリップ５とキャップ２ａ外周面との間の通気路６が連続して通気可能になっているものである。
【００１６】
詳細には、各キャップ１、２は、軸１０の各端部１０ａ、１０ｂの外面に嵌入する概略円筒形の外筒８を備え、この外筒８では閉塞端部側の周壁９に嵌入係止用の段差部１１が形成され、このキャップ１、２の閉塞部側は該側段差部１１を介して縮径され、一方のキャップの段差部１１より先の縮径部が他のキャップの開口部に嵌る外径とほぼ同径に形成されており、嵌め込んだときに段差部１１が係止ストッパの機能を果たすようになっている。
第一のキャップ１では、外筒８の縮径の周壁９内に、開口端面を外筒８の開口端面側に向け段差部１１近傍に位置させる円筒形状の内筒部１２が前記縮径の周壁９から釣り下がるように形成され、これら外筒８の縮径の周壁９と内筒部１２の外周との間は連結されて一体的に成形されている。
【００１７】
一方、第二のキャップ２は、クリップ５の一端部が段差部１１近傍の開口部側外周面にほぼクリップ５よりも幅狭のリブ状ブリッジ部７により該クリップ５が弾性変形可能に固定されると共に、クリップ５の他端部には、外筒８外面との間でポケットの縁部など係止箇所を挟みつけるための玉縁１３が外筒８近くまであるいは接する状態に突出形成されている。
第一のキャップ１においては、リブ３は、キャップ１の天頂部を除いて長手方向に全体に軸方向に沿って形成されている。また、第二のキャップ２においては外筒８外壁とクリップ５との間に空間があり、かつブリッジ部７と玉縁１３は幅がクリップ５本体よりも狭く形成してあるので通気路６が確保されるものである。
【００１８】
キャップ１、２同士を相互に嵌め合わせたときにリブ３間の溝４とキャップ外周面とクリップ５との間の通気路６がほぼ同一位置で連続するように形成したものである。
したがって、キャップ１、２外周部のリブ３により単独状態でも連結状態であるので、たとえ狭いところに入っても溝４と通気路６で通気でき、不具合は生じない。
【００１９】
第一のキャップ１の天頂部のリブ３外径を外筒の開口内径よりもわずかに大径に形成しており、第一のキャップ１頂部から第二のキャップ２を嵌め入れるとキャップ開口端が段差部１１に当たって嵌着位置決めができる。
【００２０】
また、本発明は前記の実施形態に限定されるものでなく本発明の範囲内で種々に変形実施できるものである。たとえば、図４に示す他の実施形態のように、クリップ５を第二のキャップ２の開口端よりも先方に延出してもよい。
【００２１】
【発明の効果】
以上のように本発明によれば、第一、第二のキャップに単独でも、あるいは組み合わせの状態でも通気性を確保し、安全性を高めることができるという効果を奏する。
【図面の簡単な説明】
【図１】本発明の実施形態に係る両端部に筆記端部を備える筆記具の説明図であって、（ａ）は軸に各キャップを設けた説明図、（ｂ）は各キャップの説明図である。
【図２】（ａ）、（ｂ）はキャップの平面視、側面視した説明図である。
【図３】キャップ同士を嵌合した状態の説明図である。
【図４】他の実施形態の説明図である。
【符号の説明】
１  第一のキャップ
２  第二のキャップ
３  リブ
４  溝
５  クリップ
６  通気路
７  ブリッジ部
８  外筒
９  周壁
１０  軸
１１  段差部
１２  内筒部
１３  玉縁
【図１】
0004493161.tif 000002
【図２】
0004493161.tif 000003
【図３】
0004493161.tif 000004
【図４】
0004493161.tif 000005